(57)【要約】【課題】被介護者が起き上がったときに紐が牽引される方向によって装置や衣服等が破損したり、被介護者自身が傷つく可能性があるという問題を解消し、装置の動作状態が紐の牽引方向に依存しないようにした装置を提供する。【解決手段】寝具あるいはベッドに取り付ける筐体１０と、一端に被介護者の衣服または身体に取り付ける介止具２１と他端に前記筐体１０の外表面に接触保持されることが可能な接触具２２を備えた連結紐２０と、前記接触具２２を前記筐体１０の外表面に接触保持させる保持部材１５と、前記筐体１０内に配置され、かつ前記接触具２２の接触の有無を検出する検知部材１６と、前記検知部材１６を含み、前記検知部材１６からの検出信号を発する検出回路１４と、監視装置または通信装置４０に前記検出回路１４を接続する接続部３０とからなる体動検知装置。【選択図】      図１
2004313312.tif 000002
【特許請求の範囲】
【請求項１】
寝具あるいはベッドに取り付ける筐体１０と、一端に被介護者の衣服または身体に取り付ける介止具２１と他端に前記筐体１０の外表面に接触保持されることが可能な接触具２２を備えた連結紐２０と、前記接触具２２を前記筐体１０の外表面に接触保持させる保持部材１５と、前記筐体１０内に配置され、かつ前記接触具２２の接触の有無を検出する検知部材１６と、前記検知部材１６を含み、前記検知部材１６からの検出信号を発する検出回路１４と、監視装置または通信装置４０に前記検出回路１４を接続する接続部３０とからなる体動検知装置。
【請求項２】
前記筐体１０はプラスチック製筐体であり、前記接触具２２は先端に磁石である保持部材２４を有し、そして前記保持部材１５は前記筐体１０内に配置された磁石であり、前記接触具２２は前記保持部材２４と前記保持部材１５が筐体壁を介して磁力吸着することによって接触保持され、さらに前記検知部材１６がリードスイッチである、請求項１記載の体動検知装置。
【請求項３】
前記筐体１０はプラスチック製筐体であり、前記接触具２２は先端に面ファスナーである保持部材２４を有し、該保持部材１４の表面には磁石である検知部材２５が設けられ、そして前記保持部材１５は前記筐体１０の外表面に接着された面ファスナーであり、前記接触具２２は保持部材２４と保持部材１５が筐体１０の外表面で接合することによって接触保持され、さらに前記検知部材１６がリードスイッチである、請求項１記載の体動検知装置。
【発明の詳細な説明】
【０００１】
【発明の属する技術分野】
本発明は、介護施設、病院、一般家宅などの室内において、ベッドあるいは布団などの寝具にて休息、就寝あるいは仰臥していた被介護者が起き上がった状態について、遠隔地で把握するための体動検出装置に関する。より詳細には、その体の動きを検知してナースコール等の監視装置または通信装置に送信することにより、遠隔地でその動きを把握するための体動検知装置に関する。
【０００２】
【従来の技術】
近年、介護施設、病院などの入院被介護者や自宅介護を受けている被介護者は、看護者の管理外にベッドあるいは布団等の寝具から抜け出し、徘徊することにより転倒する等の事故が頻発している。このような事故は痴呆症である被介護者に限らず、高齢者、病弱者にも起こりがちな事故である。
【０００３】
このような事故を防ぐ目的で、被介護者の動きを遠隔地にて把握する試みとして、種々の装置を使用することが提案されている。たとえば、病室等の天井に距離検出手段を取り付け、そこで検出される信号を計測手段等にて計測して、在床、離床などを判断し、それらの情報を表示、警告する装置（特開２０００−２４１５６１号公報）、インパルス状電磁波を送波し、人体からの反射波を受波するインパルスレーダを用い、反射波の状態から人体を検知する装置（特開２００１−２３８９２２号公報）、あるいはＧＰＳを利用する移動体の位置検知装置（特開平９−２８１２１２号公報）などが提案されている。しかしながら、これらの装置はいずれも装置自体が大規模となり、費用、設備、操作等において多大な負担を生じる。これらに代えて、マットレスや床下に重量を検知するマットセンサを設けた体動検出マット等も検討されている。しかしながら、これらの設備も多大な費用などを要する。
【０００４】
これらの装置に代わって、現在、介護施設、病院などで一般的に使用されるナースコールをそのまま使用でき、またコネクター方式でも接続できる簡便な体動検知装置が提案されている（特開２００２−１４３０９９号公報）。この装置は、筐体と、一端に介止具を有し、他端にスイッチ作動部を備えた連結紐と、監視手段の端末コンセントに接続可能なケーブルとを備える。筐体にはスイッチ作動部が抜き差し可能な開口部とスイッチ作動部の抜き差しに応じてオンオフするスイッチを含む体動検出回路が設けられている。体動検出回路はケーブルを介して端末コンセントに接続される。被介護者の衣類等に紐の一端にある介止具をつなぎ、紐の他端に位置するスイッチ作動部を、検出回路を備えた筐体（センサー部）の開口部に差し込んで使用する。この装置では被介護者が起き上がったときにスイッチ作動部が開口部から抜け落ちることを検知して、信号をナースコール等の監視装置に送信する。
しかし、この方式では被介護者が起き上がったときに、紐が開口部に対して垂直に牽引されるときのみしか、スイッチ作動部が抜けず、他の方向に牽引された場合には介止具や被介護者の衣類等の破損を起こす可能性や、被介護者自身を傷つける可能性がある。
【０００５】
【特許文献１】
特開２００２−１４３０９９号公報（第１欄、図１）
【０００６】
【発明が解決しようとする課題】
本発明の課題は、被介護者が起き上がったときに紐が牽引される方向によって装置や衣服等が破損したり、被介護者自身が傷つく可能性があるという問題を解消し、装置の動作状態が紐の牽引方向に依存しないようにした装置を提供することにある。
【０００７】
【課題を解決するための手段】
本発明者らは、上記課題を解決するために鋭意、検討した結果、紐の牽引方向に装置の動作状態が依存しない装置として、筐体の開口部に作動スイッチを差し込むことなく、連結紐の他端に筐体の外表面に接触保持されることが可能な接触具を設けることを見出し、本発明に到達した。
【０００８】
すなわち、本発明は寝具あるいはベッドに取り付ける筐体１０と、一端に被介護者の衣服または身体に取り付ける介止具２１と他端に前記筐体１０の外表面に接触保持されることが可能な接触具２２を備えた連結紐２０と、前記接触具２２を前記筐体１０の外表面に接触保持させる保持部材１５と、前記筐体１０内に配置され、かつ前記接触具２２の接触の有無を検出する検知部材１６と、前記検知部材１６を含み、前記検知部材１６からの検出信号を発する検出回路１４と、監視装置または通信装置４０に前記検出回路を接続する接続部３０とからなる体動検知装置である。
【０００９】
本発明の一実施態様では、前記筐体１０がプラスチック製筐体であり、前記接触具２２は先端に磁石である保持部材２４を有し、そして前記保持部材１５は前記筐体１０内に配置された磁石であり、前記接触具２２は前記保持部材２４と前記保持部材１５が筐体壁を介して磁力吸着することによって接触保持され、さらに前記検知部材１６がリードスイッチである。
【００１０】
本発明の他の実施態様では、前記筐体１０がプラスチック製筐体であり、前記接触具２２は先端に面ファスナーである保持部材２４を有し、前記保持部材２４の表面には磁石である検知部材２５が設けられ、そして前記保持部材１５は前記筐体１０の外表面に接着された面ファスナーであり、前記接触具２２は保持部材２４と保持部材１５が筐体１０の外表面で接合することによって接触保持され、さらに前記検知部材１６がリードスイッチである。
【００１１】
【発明の実施の態様】
本発明の体動検出装置の概観図を図１に示す。図中、１０は筐体、２０は連結紐、３０は接続部、４０は監視または通信装置、５０は端末を示す。
本発明の体動検出装置は、寝具あるいはベッドに取り付ける筐体１０と、一端に被介護者の衣服または身体に取り付ける介止具２１と他端に前記筐体１０の外表面に接触保持されることが可能な接触具２２を備えた連結紐２０と、既設の監視装置または通信装置４０に接続可能な接続部３０からなる。また、前記筐体１０には前記接触具２２を前記筐体１０の外表面に接触保持させる保持部材１５と、前記筐体１０内に配置され、かつ前記接触具２２の接触の有無を検出する検知部材１６と、前記検知部材１６を含み、前記検知部材１６からの検出信号を発する検出回路１４を有する。接続部３０は、監視装置または通信装置の端末５０が使用可能であるように、本発明の筐体１０と端末５０を並列して接続することが望ましい。
【００１２】
本発明において、連結紐２０は一端に被介護者の衣服または身体に取り付ける介止具２１と他端に筐体１０の外表面に接触保持されることが可能な接触具２２を備える。
連結紐２０の一端に備えられる介止具２１としては、種々の係止具、例えば、ワンタッチクリップ、洗濯ばさみ型クリップ、文房具用クリップなどがあるが、特に、ワンタッチクリップが望ましい。また、被介護者の衣服または身体に取り付けが容易なものが好ましいが、取り付けた後、容易に外れにくいことも望ましい。
一方、連結紐２０の他端に備えられる接触具２２は、前記筐体１０の外表面に接触保持されることが特徴である。そのため、筐体１０の外表面上に接触保持される保持部材２４を有する。保持部材２４を筐体１０の外表面上に接触保持させるには、物理的手段、例えば、磁力、吸着、接着、係合などを利用する。そのため、保持部材２４としては、磁石、吸盤、面ファスナー等があるが、磁石が最も望ましい。
【００１３】
本発明において、接触具２２が筐体１０の外表面に接触保持されることは、接触具２２の保持部材２４と筐体１０の保持部材１５との物理的手段により、接触具２２が筐体１０の外表面に接触保持されることを意味する。具体的には、前記接触具２２が先端に磁石である保持部材２４を有し、そして前記筐体１０内に配置され、かつ前記接触具２２の接触の有無を検出する前記保持部材１５が磁石である場合、前記接触具２２は保持部材２４と保持部材１５が筐体壁を介して磁力吸着することによって接触保持される。
連結紐２０は、本発明の体動検知装置を被介護者に設置する際に連結紐の長さを調節できる公知の調整器具２３を備えていることが望ましい。
【００１４】
本発明の筐体１０は、寝具、ベッドの柱等に取り付けるための固定具１１を有し、さらに接続部３０に接続する接続手段１３を有し、そして、上記接触具２２が固定される外表面１２を有する。さらに、前記接触具２２の接触の有無を検出する検知部材１６と、前記検知部材１６を含み、前記検知部材１６からの検出信号を発する検出回路１４が、筐体１０内に配置される。
筐体１０とは、中空形状を有するＡＢＳ樹脂などのプラスチックなどの筐体であり、検出回路１４および必要により保持部材１５が収納できるかぎり、小型であることが望ましい。また、筐体１０の材料および厚さは、磁力に影響を与えないものが好ましい。筐体１０の外表面１２とは、筐体１０の外表面の中で接触保持される部分をいう。好ましくは下方外表面または側部外表面である。
また、固定具１１は連絡紐２０が牽引された際に外表面１２を牽引する方向に向けることが可能であることが望ましく、ベッドの柱等に緩く括り付ける紐等が最も望ましいが、壁等に固定するためのネジや、横棒に引っ掛ける部材等でよい。
さらに、接続手段１３は筐体１０の外に配置される接続具３０、検出回路１４、監視手段または通信手段４０を電気的に接続できるものであればよく、具体的には、ケーブルなどである。
【００１５】
保持部材２４として磁石を用いる場合には、図２に示されるように、筐体１０の外表面１２の近傍に接触具２２を保持する保持部材１５と、接触具２２の接触保持を検知する検知部材１６を含む検出回路１４が筐体１０内に備えられている。
検出回路１４とは、筐体１０内にあって、検知部材１６から発せられる検出信号を接続手段１３に伝達する回路であり、検知部材１６と電気的に接続されている銅線、抵抗体などからなる。また、様々な種類が存在する既設の監視手段または通信手段４０に接続が可能とするために、切り換えスイッチなどの公知の電子部材をさらに備えることが望ましい。
【００１６】
次に、保持部材２４として雄面または雌面の面ファスナーを用いる場合には、図３に示すように、筐体１０の外表面に前記面ファスナーが接合する保持部材１５’（雌面または雄面の面ファスナー）を接着させる。さらに接触具２２の保持部材２４近傍に検知部材２５として磁石を併用する。したがって、前記接触具２２は先端の面ファスナー（保持部材２４）と筐体１０の外表面の面ファスナー（保持部材１５’）の接合によって、筐体１０の外表面に接触保持される。面ファスナーに代えて、吸盤を使用してもよい。
【００１７】
保持部材１５としては、保持部材２４が磁石である場合には、磁石や軟鉄などの磁石が吸着する部材が望ましく、保持部材２４が面ファスナーである場合には、外表面１２上に設置された面ファスナーが望ましい。保持部材２４が吸盤である場合には、保持部材１５は、吸盤が接触保持することができる部材であり、筐体１０の外表面に設けることが望ましい。
検知部材１６としては、保持部材２４が磁石である場合にはリードスイッチを用いる。リードスイッチとは、例えば、磁性体で構成された一組のリード片が不活性ガスとともにガラス管内に封入されたもので、外部磁界の磁力によって一連のスイッチング動作を行うものがある。保持部材２４が磁石である場合は、筐体１０の表面１２を介する保持部材１５との吸着による保持部材２４の磁力発生または変化によって、リードスイッチがオンオフする。これが信号として検出回路１７から接続手段１３、接続具３０を介して監視装置または通信装置４０へ伝わる。
【００１８】
保持部材２４が吸盤や面ファスナーであり、検知部材２５として磁石を用いる場合も、検知部材１６はリードスイッチでよく、保持部材１５と保持部材２４の接触によって磁石がリードスイッチ１６に接近し、このスイッチがオンとなる。逆に保持部材１５と保持部材２４が離れることによって磁石がスイッチ１６から離れて、このスイッチはオフとなる。
【００１９】
接続部３０は市販されている分配コネクタ等の公知の電気配線部材でよく、端末５０の形状、型式によって任意に選択すればよい。これによって既設されている監視装置または通信装置４０に並列的に接続することが可能となる。
【００２０】
本発明の体動検知装置に接続する既設の監視装置または通信装置４０としては、病院等に設置されているナースコールや家庭で用いられるＬＡＮ接続回線等が挙げられる。また、端末５０としてはナースコールボタンや各種通信装置が挙げられる。接続部３０によって並列的に端末５０と体動検知装置を接続することで、ナースコールボタン等が使用可能な状態のまま、体動検知装置を使用することが可能となる。
【００２１】
本発明の体動検知装置の使用例を以下に説明する。筐体１０をベッドサイドの支柱等に固定具１１によって緩く結びつけるなどして固定し、筐体１０の接続手段１３と接続具３０を接続する。さらに、既設の監視装置または通信装置１０の端末５０を接続具３０に、好ましくは並列して接続する。
次に、係止具２１を患者の衣服等、例えば衣類の裾や襟元に取り付け、接触部２２を筐体１０の外表面１２に設置する。これによって、例えば保持部材２４の磁石と保持部材１５の磁石が互いに引き合い、接触具２２が筐体１０の外表面１２に接触保持される。このとき、接触部材２４の磁石による磁力によって、検知部材１６のリードスイッチがオンとなる。これによって本発明の体動検知装置は監視状態となる。
【００２２】
監視状態中に患者が寝具から起き出すと、連結紐２０が牽引されることから接触部２２が筐体１０の外表面１２から外れる。すなわち、接触具２２に設けられた保持部材２４と保持部材１５の両磁石による接合が解除される。これによって検知部材１６のリードスイッチがオフとなり、その信号が検出回路１７から接続部材１３および接続部３０を介して既設の監視装置または通信装置４０に送信される。この接触部２２が筐体１０の外表面１２の平面部分に何らかのガイド等を用いずに接触保持されているために、連結紐２０の牽引方向によらず、筐体１０から接触部２２が外れることが可能となり、連結紐２０や患者の衣類等あるいは患者自身を傷つけることがない。
このとき、筐体１０が固定具１１によって連結紐２０の牽引方向に向きを変えることが可能である場合、より安全に連結紐２０が筐体１０から外れることが可能となる。
【００２３】
【発明の効果】
本発明の体動検知装置は、筐体の開口部に作動スイッチを差し込むことなく、連結紐の他端に筐体の外表面に接触保持されることが可能な接触具を設けることにより、患者自身を傷つけることや、患者の衣類等を破損させることなしに患者の起き上がりを検出し、看護者に連絡することが可能となる。
また、マットレスや床下に重量を検知するマットセンサを設けた体動検出マット等と比較して構成が単純であるために、より安価に患者の徘徊を検知し、未然に転倒等の事故を防止することが可能となる。
【図面の簡単な説明】
【図１】本発明の体動検知装置の形態を示す概略図である。
【図２】本発明の一実施態様における筐体内部の回路構成図である。
【図３】本発明の他の実施態様における連結具の概略図である。
【符号の説明】
１０  筐体
１３  接続手段
１４  検出回路
１５  保持部材
１６  検知部材
２０  連結紐
２１  介止具
２２  接触具
２４  保持部材
３０  接続部
４０  監視または通信装置
５０  端末
【図１】
2004313312.tif 000003
【図２】
2004313312.tif 000004
【図３】
2004313312.tif 000005